【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
医療用高強度集束超音波システムであって、該システムは、
基部ユニットであって、
（ａ）一次デジタルインターフェースを有する一次コントローラと、
（ｂ）冷却液再循環回路と、
（ｃ）電気伝送部材と、情報伝送部材と、複数の冷却液導管とを携持するケーブルと
を含む基部ユニットと、
治療ヘッドであって、
（ａ）該ケーブルに連結される本体と、
（ｂ）二次デジタルインターフェースを有する二次コントローラであって、該電気伝送部材および該情報伝送部材によって該一次コントローラに連結される二次コントローラと、
（ｃ）該本体に取外し可能に取り付けられるカートリッジであって、該カートリッジは、密閉されたエンクロージャと、該密閉されたエンクロージャの内側の音響結合液と、該密閉されたエンクロージャの内側の該音響結合液内の高強度集束超音波変換器とを含み、該カートリッジは、該カートリッジが該本体に取り付けられると、該冷却液導管を介して該冷却液再循環回路に連結される熱交換器をさらに備え、該変換器は、該カートリッジが該本体に取り付けられると、該電気伝送部材に連結される、カートリッジと
を含む、治療ヘッドと
を備え、該音響結合液は、該冷却液導管により該熱交換器に供給される冷却液から、該密閉されたエンクロージャによって分離されている、システム。
【請求項２】
前記ケーブルは、前記治療ヘッドの実質的に自由な手動操作を可能にするように可撓性である、請求項１に記載のシステム。
【請求項３】
前記基部ユニットと前記治療ヘッドとの間に支持アームがなく、該基部ユニットと治療ヘッドとの間の全ての機械的、電気的、および流体的接続は、前記ケーブルによって提供される、請求項２に記載のシステム。
【請求項４】
液体を前記患者に塗布するために構成された、前記治療ヘッド上に液体分注デバイスをさらに備える、請求項１に記載のシステム。
【請求項５】
前記液体循環回路は、冷却装置をさらに備える、請求項１に記載のシステム。
【請求項６】
前記ケーブルは、約１２乃至約２４本の同軸ケーブルを含有する、請求項１に記載のシステム。
【請求項７】
前記カートリッジは、ショートスタック変換器アセンブリを備える、請求項１に記載のシステム。
【請求項８】
前記一次デジタルインターフェースおよび前記二次デジタルインターフェースは各々、直列化および非直列化デバイスをさらに備える、請求項１に記載のシステム。
【請求項９】
超音波治療ヘッドによって患者の組織を改質するためのシステムであって、該システムは、
患者の皮膚の領域上に冷却液を塗布する液体分注デバイスであって、該液体分注デバイスは、治療ヘッドに連結され、該超音波治療ヘッドは、押し付けられて該領域と接触させられるように構成されている、液体分注デバイスと、
該超音波治療ヘッドに取り付けられたカートリッジ内で起動させられて、該皮膚の表面下の組織を改質するように構成された変換器と
を備える、システム。
【請求項１０】
短縮された物理ワイヤケーブルを使用して、基部ユニットの中のコンピュータコントローラと治療ヘッドとの間に電気的な連絡を提供する方法であって、該方法は、
単一のワイヤを介して連続的に提示されるパケットの中にデバイス制御コマンド、クエリ、およびデータを直列化することと、
受信非直列化インターフェースの中で該デバイス制御コマンド、クエリ、およびデータを非直列化することであって、該直列化および非直列化インターフェースは、該ワイヤを上下して移動させられる電子情報を解凍するために同じプロトコルを使用する、ことと
を含む、方法。
【請求項１１】
医療利用のための超音波治療ヘッドであって、
該治療ヘッドの中に載置される高強度集束変換器と、
該治療ヘッドを冷却するために使用される液体媒体を患者の身体上まで分注するための、該治療ヘッドに連結される手段と
を備える、治療ヘッド。
【請求項１２】
前記音響結合液が脱気水を含む、請求項１に記載のシステム。
【請求項１３】
前記脱気水が１２ｐｐｍ未満の溶解酸素まで脱気されている、請求項１２に記載のシステム。
【請求項１４】
前記脱気水が５ｐｐｍ以下の溶解酸素まで脱気されている、請求項１２に記載のシステム。
【請求項１５】
前記音響結合液が塩をさらに含む、請求項１２に記載のシステム。
【請求項１６】
前記塩が塩化カルシウムである、請求項１５に記載のシステム。
【請求項１７】
前記密封されたエンクロージャが永久的に密閉される、請求項１に記載のシステム。
【手続補正２】
【補正対象書類名】明細書
【補正対象項目名】０００３
【補正方法】変更
【補正の内容】
【０００３】
本発明は、例えば、以下を提供する：
（項目１）
医療用高強度集束超音波システムであって、該システムは、
基部ユニットであって、
（ａ）一次インターフェースを有する一次デジタルコントローラと、
（ｂ）冷却液再循環回路と、
（ｃ）電気および情報伝送部材と、冷却液導管とを携持するケーブルと
を含む基部ユニットと、
治療ヘッドであって、
（ａ）該ケーブルに連結される本体と、
（ｂ）二次デジタルインターフェースを有する、該本体上の二次コントローラであって、該電気および情報伝送部材によって該一次コントローラに連結される二次コントローラと、
（ｃ）該本体に取外し可能に取り付けられるカートリッジであって、該カートリッジは、音響結合液によって充填されており、高強度集束超音波変換器を自身の中に有する密閉されたエンクロージャを含み、該カートリッジは、該冷却液導管を介して該冷却液再循環回路に連結され、該変換器は、該カートリッジが該本体に取り付けられると、該電気伝送部材に連結される、カートリッジと
を含む、治療ヘッドと
を備える、システム。
（項目２）
前記ケーブルは、前記治療ヘッドの実質的に自由な手動操作を可能にするように可撓性である、項目１に記載のシステム。
（項目３）
前記基部ユニットと前記治療ヘッドとの間に支持アームがなく、該基部ユニットと治療ヘッドとの間の全ての機械的、電気的、および流体的接続は、前記ケーブルによって提供される、項目２に記載のシステム。
（項目４）
液体を前記患者に塗布するために、前記治療ヘッド上に液体分注デバイスをさらに備える、項目１に記載のシステム。
（項目５）
前記液体分注デバイスは、前記密閉されたエンクロージャから、ある量の前記音響結合液を送達する、項目４に記載のシステム。
（項目６）
前記液体分注デバイスは、ある量の前記冷却液を送達する、項目４に記載のシステム。
（項目７）
前記液体循環システムと流体的に連絡している複数の液体分注デバイスをさらに備え、流量制御サブシステムが、該液体循環システムから該複数の液体分注デバイスまでの、および該複数の液体分注デバイスから外への液体の流量を制御する、項目４に記載のシステム。
（項目８）
前記液体循環回路は、冷却装置をさらに備える、項目１に記載のシステム。
（項目９）
前記ケーブルは、約１２乃至約２４本の同軸ケーブルを含有する、項目１に記載のシステム。
（項目１０）
前記カートリッジは、ショートスタック変換器アセンブリを備える、項目１に記載のシステム。
（項目１１）
前記一次および二次インターフェースは、直列化および非直列化デバイス（ＳＥＲＤＥＳデバイス）をさらに備える、項目１に記載のシステム。
（項目１２）
前記カートリッジは、前記冷却液再循環回路から冷却液を受容するコイル熱交換器を備える、項目１に記載のシステム。
（項目１３）
超音波治療ヘッドによって患者の組織を改質する方法であって、該方法は、
治療ヘッドに連結される液体分注デバイスを使用して、患者の皮膚の領域上に冷却液を塗布することと、
該超音波治療ヘッドを押し付けて該領域と接触させることと、
該皮膚の表面下の組織を改質するために、該超音波治療ヘッドに取り付けられたカートリッジ内の変換器を起動することと
を含む、方法。
（項目１４）
短縮された物理ワイヤケーブルを使用して、基部ユニットの中のコンピュータコントローラと治療ヘッドとの間に電気的な連絡を提供する方法であって、該方法は、
単一のワイヤを介して連続的に提示されるパケットの中にデバイス制御コマンド、クエリ、およびデータを直列化することと、
受信非直列化インターフェースの中で該デバイス制御コマンド、クエリ、およびデータを非直列化することであって、該直列化および非直列化インターフェースは、該ワイヤを上下して移動させられる電子情報を解凍するために同じプロトコルを使用する、ことと
を含む、方法。
（項目１５）
医療利用のための超音波治療ヘッドであって、
該治療ヘッドの中に載置される高強度集束変換器と、
該治療ヘッドを冷却するために使用される液体媒体を患者の身体上まで分注するための、該治療ヘッドに連結される手段と
を備える、治療ヘッド。
本発明は、基部ユニットと、治療ヘッドとを備える医療用高強度集束超音波システムを提供する。基部ユニットは、一次インターフェースを有する一次デジタルコントローラと、冷却液再循環回路と、電気および情報伝送部材を携持するケーブルと、冷却液導管とを含む。治療ヘッドは、ケーブルに連結される本体と、二次デジタルインターフェースを有する、本体上の二次コントローラとを含み、二次コントローラは、電気および情報伝送部材によって一次コントローラに連結される。治療ヘッドはさらに、音響結合液で充填される密閉されたエンクロージャと、その中の高強度集束超音波変換器とを含む、本体に取外し可能に取り付けられるカートリッジを含む。カートリッジは、カートリッジが本体に取り付けられるときに、ケーブルの中の冷却液導管を介して冷却再循環回路に連結される。